【手続補正書】
【提出日】平成16年10月28日(2004.10.28)
【手続補正１】
【補正対象書類名】特許請求の範囲
【補正対象項目名】全文
【補正方法】変更
【補正の内容】
【特許請求の範囲】
【請求項１】
拡張可能なインプラントと、
上記拡張可能なインプラントに巻き付けられるシート材であって、第１及び第２の主要表面と、上記第１主要表面から上記第２主要表面へと延在する複数の開口とを有するシート材と、
上記開口と協働して上記シート材の複数の部分を互いに解放可能に結合し、上記拡張可能なインプラントを潰された状態に維持するようにする結合部材と、
を具備する装置。
【請求項２】
上記シート材が所定の長さ及び幅を有し、上記幅は約４０ｍｍ未満である、請求項１に記載の装置。
【請求項３】
上記複数の部分が上記シート材の長手方向の各端部間に延在する側縁部(side margins)を含み、上記複数の開口の少なくとも二つは、上記側縁部の少なくとも一つに沿って配置されるアイレットを含んでいる、請求項１に記載の装置。
【請求項４】
上記アイレットは上記側縁部に形成された孔である、請求項３に記載の装置。
【請求項５】
上記シート材に結合されるループ(loop)であって、上記アイレットの少なくとも一つを形成するループを含む、請求項３に記載の装置。
【請求項６】
上記結合部材は、上記アイレットを通るようにされた糸を含んでいる、請求項３に記載の装置。
【請求項７】
上記インプラントがステントを含んでいる、請求項１に記載の装置。
【請求項８】
少なくとも一つの上記アイレットと該少なくとも一つの上記アイレットが配置されている上記側縁部の外縁との間に配置される補強部材を更に含む、請求項３に記載の装置。
【請求項９】
少なくとも一つの上記側縁部が上記シート材の重ね合わせ部分(overlapping portions)を含んでいて、補強部材が上記重ね合わせ部分の間に位置せしめられる、請求項６に記載の装置。
【請求項１０】
拡張可能なインプラントと、
上記拡張可能インプラントに巻き付けられるシート材と、
上記シート材の複数の部分を互いに解放可能に結合し、上記拡張可能なインプラントを潰された状態に維持するようにする結合部材と、を具備し、上記複数の部分は上記シート材の長手方向の各端部間に延在する側縁部を含み、少なくとも一つの開口が上記側縁部の各々に沿って配置される装置であって、上記少なくとも一つの開口と上記側縁部の外縁との間に配置される補強部材を具備する装置。
【請求項１１】
拡張可能なインプラントと、
上記拡張可能インプラントに巻き付けられるシート材と、
補強部材と、
上記シート材の複数の部分を互いに解放可能に結合し、上記拡張可能なインプラントを潰された状態に維持するようにする結合部材と、を具備し、
上記複数の部分は上記シート材の長手方向の各端部間に延在する側縁部を含み、少なくとも一つの開口が上記側縁部の各々に沿って配置され、少なくとも一つの上記側縁部が上記シート材の重ね合わせ部分を含んでいて、上記補強部材が上記重ね合わせ部分の間に位置せしめられる、装置。
【請求項１２】
上記結合部材が上記少なくとも一つの開口を通るようにされた糸を含んでいる、請求項１１に記載の装置。
【請求項１３】
潰された状態と拡張された状態とを有すると共にステントを含むインプラントと、
上記インプラントに取り付けられるシート材と、を備える組立体であって、
上記インプラントは上記潰された状態にあると共に上記シート材が該インプラントの少なくとも一部に巻き付けられ、上記シート材は端部と該端部の間に延在する縁部分とを有し、上記縁部分は互いに解放可能に結合される、組立体。
【請求項１４】
別個の結合部材(discrete coupling member)を更に含み、該結合部材が上記縁部分を互いに結合する、請求項１３に記載の組立体。
【請求項１５】
上記シート材がほぼ管状の形態に配置されて上記ステントを上記潰された状態に維持するようにする、請求項１３に記載の組立体。
【請求項１６】
上記シート材は、第１及び第２の主要表面と、上記第１主要表面から上記第２主要表面へと延在する複数の開口とを含む、請求項１３に記載の組立体。
【請求項１７】
上記結合部材は、少なくとも一つの解放可能な結び目を形成するフィラメント又は糸状の要素を含む、請求項１４に記載の組立体。
【請求項１８】
人工器官を管腔内に展開配置する方法であって、
（ａ）拘束部材に結合されると共に該拘束部材によって潰された状態に拘束されている拡張可能なステントを準備する段階と、
（ｂ）上記の潰され且つ拘束されているステントを、壁を有する管腔内に配置する段階と、
（ｃ）上記拘束部材を解放する段階と、
（ｄ）上記ステントを展開配置される形態に拡張し、上記拘束部材を上記壁に接触する位置へと付勢する段階と、
を含む方法。
【請求項１９】
上記ステントは、自己拡張して上記拘束部材を上記壁に接触する位置へと付勢することが可能である自己拡張式ステントである、請求項１８に記載の方法。
【請求項２０】
上記拘束部材は、第１及び第２の主要表面と、上記第１主要表面から上記第２主要表面へと延在する複数の開口とを含む、請求項１８に記載の方法。
【請求項２１】
上記拘束部材は、少なくとも一つの解放可能な結び目を形成するフィラメント又は糸状の要素によって共に結合される側縁部を含む、請求項１８に記載の方法。
【請求項２２】
長手方向に延在する側縁部を有すると共に、第１及び第２の主要表面と、上記第１主要表面から上記第２主要表面へと延在する複数の開口とを有するシート材の中に潰されたインプラントを配置する段階と、
上記側縁部を互いに結合して上記インプラントを潰された形態に維持するようにする段階と、を含むインプラントを組立てる方法。
【請求項２３】
上記の結合を行う段階が、上記側縁部の複数の部分が同時に解放され得るように、上記側縁部を複数の要素で結合することを含む、請求項２２に記載の方法。
【請求項２４】
長手方向に延在する側縁部を有するシート材の中に潰されたインプラントを配置する段階と、
上記側縁部を互いに結合して上記インプラントを潰された形態に維持するようにする段階と、を含み、
上記の結合を行う段階が、上記側縁部の複数の部分が同時に解放され得るように、上記側縁部を複数の要素で結合することを含む、インプラントを組立てる方法。
【請求項２５】
拡張可能なステントをほぼ管状の拘束部材の中へ潰して入れる方法であって、
（ａ）上記ステントを、該ステントを半径方向に潰すテーパ付き構造物を通して引っ張る段階と、
（ｂ）上記ステントを、第１及び第２の主要表面と、上記第１主要表面から上記第２主要表面へと延在する複数の開口とを有する拘束部材の中へと配置する段階と、
を含む方法。
【請求項２６】
上記ステントの一部分が上記段階（ａ）の前に折畳まれる、請求項２５に記載の方法。
【請求項２７】
管状の支持体と、
上記管状の支持体に取り付けられると共に少なくとも一つの接続可能自由端を有するシート部材と、
上記少なくとも一つの自由端を上記シート部材に解放可能に接続し、上記支持体を潰された状態に維持するようにする結合部材と、
を具備する装置。
【請求項２８】
上記シート部材が一つの自由端を有する、請求項２７に記載の装置。
【請求項２９】
上記シート部材が二つの自由端を有する、請求項２７に記載の装置。
【請求項３０】
上記支持体はステント部材を含む、請求項２７に記載の装置。
【請求項３１】
上記支持体は移植片部材を含む、請求項２８に記載の装置。
【請求項３２】
シート部材は、上記自由端が互いに接続された時に上記管状の支持体を潰された形態に維持するような寸法とされている、請求項２９に記載の装置。
【請求項３３】
上記自由端は長手方向の端部の間に延在する側縁部を含み、少なくとも一つのアイレットが上記側縁部の各々に沿って配置される、請求項２９に記載の装置。
【請求項３４】
上記結合部材が上記アイレットを通って延在し、上記支持体を潰された形態に維持するようにする、請求項３３に記載の装置。
【請求項３５】
上記支持体はステント移植片を含む、請求項２７に記載の装置。
【請求項３６】
上記シート部材は、第１及び第２の主要表面と、上記第１主要表面から上記第２主要表面へと延在する複数の開口とを含む、請求項２７に記載の装置。
【請求項３７】
上記結合部材は、少なくとも一つの解放可能な結び目を形成するフィラメント又は糸状の要素を含む、請求項２７に記載の装置。
【請求項３８】
潰された状態と拡張された状態とを有するステント移植片と、
取り付けられた拘束部材と、を具備した組立体であって、
上記拘束部材は、上記ステント移植片の少なくとも一部に巻き付けられるようにされていて、且つ、上記ステント移植片をその潰された状態に維持するべく互いに解放可能に結合されるようにされた長手方向に延在する側方部分を有している、組立体。
【請求項３９】
上記拘束部材がポリマー材料のシートであって、所定の長さ、幅及び厚さを有し、上記幅は上記ステント移植片の拡張された直径より小さい請求項３８に記載の組立体。
【請求項４０】
上記シートが約４０ｍｍ未満の幅を有する、請求項３９に記載の組立体。
【請求項４１】
上記拘束部材の長さが、その長手方向軸線に沿って測定した場合に、上記ステント移植片の長さ未満であるか又はそれと等しい、請求項３９に記載の組立体。
【請求項４２】
上記部分を互いに解放可能に結合する別個の部材を更に含んでいる、請求項３８に記載の組立体。
【請求項４３】
上記側方部分間の別個の部材を多方向に解放する手段を更に含んでいる、請求項４２に記載の組立体。
【請求項４４】
上記側方部分が、上記ステント移植片の各端部間に延在する側縁部を含むと共に少なくとも一つのアイレットを含む、請求項３８に記載の組立体。
【請求項４５】
上記アイレットが、上記縁部に形成される孔によって構成される、請求項４４に記載の組立体。
【請求項４６】
上記アイレットが上記拘束部材に結合されるループを含んでいる、請求項４４に記載の組立体。
【請求項４７】
上記拘束部材が、第１及び第２の主要表面と、上記第１主要表面から上記第２主要表面へと延在する複数の開口とを含む、請求項３８に記載の組立体。
【請求項４８】
上記側方部分が、少なくとも一つの解放可能な結び目を形成するフィラメント又は糸状の要素を含む結合部材によって解放可能に結合されるようにされている請求項３８に記載の組立体。
【請求項４９】
拡張可能なインプラントと、
上記拡張可能なインプラントに巻き付けられるシート材と、
上記シート材の複数の部分を互いに解放可能に結合し、上記拡張可能なインプラントを潰された状態に維持するようにする結合部材であって、少なくとも一つの解放可能な結び目を形成するフィラメント又は糸状の要素を含む結合部材と、を具備する装置。
【請求項５０】
拡張可能なインプラントと、
上記拡張可能なインプラントに巻き付けられ且つ取り付けられるシート材と、
上記シート材の複数の部分を互いに解放可能に結合し、上記拡張可能なインプラントを潰された状態に維持するようにする結合部材と、を具備する装置。
【請求項５１】
長手方向に延在する側縁部を有するシート材の中に潰されたインプラントを配置する段階と、
上記側縁部を少なくとも一つの解放可能な結び目を形成するフィラメント又は糸状の要素で互いに結合して上記インプラントを潰された形態に維持するようにする段階と、
を含む、インプラントを組立てる方法。
【請求項５２】
長手方向に延在する側縁部を有するシート材の中に潰されたインプラントを配置する段階と、
上記側縁部を互いに結合して上記インプラントを潰された形態に維持するようにする段階と、
上記インプラントを上記シート材に取り付ける段階と、
を含む、インプラントを組立てる方法。
【請求項５３】
拡張可能なステントをほぼ管状の拘束部材の中へ潰して入れる方法であって、
（ａ）拡張可能なステントを、該ステントを半径方向に潰すテーパ付き構造物を通して引っ張る段階と、
（ｂ）上記ステントを、側縁部を有する拘束部材の中へと配置する段階と、
（ｃ）上記側縁部を少なくとも一つの解放可能な結び目を形成するフィラメント又は糸状の要素で共に結合して上記ステントを潰された形態に維持するようにする段階と、
を含む方法。
【請求項５４】
拡張可能なインプラントをほぼ管状の拘束部材の中へ潰して入れる方法であって、
（ａ）拡張可能なインプラントを、該インプラントを半径方向に潰すテーパ付き構造物を通して引っ張る段階と、
（ｂ）上記インプラントを、側縁部を有する拘束部材の中へと配置する段階と、
（ｃ）上記インプラントを上記拘束部材へ取り付ける段階と、
を含む方法。
【請求項５５】
長手方向軸線を有し、拡張可能な状態と拡張された状態とを有するインプラントと、
上記インプラントが上記拡張可能な状態にある時に上記インプラントの少なくとも一部分を包囲するように配置された拘束部材と、を具備する装置であって、
上記拘束部材が、上記インプラントが上記拡張可能な状態にある時に解放可能に結合される第１部分及び第２部分を有し、且つ、
上記拘束部材が、上記インプラントが上記拡張された状態にある時に上記インプラントに取り付けられたままになるようにされている、装置。
【請求項５６】
上記インプラントがステントを含む、請求項５５に記載の装置。
【請求項５７】
上記インプラントがステント移植片を含む、請求項５５に記載の装置。
【請求項５８】
上記拘束部材が所定の長さ及び幅を有し、上記幅は約４０ｍｍ未満である、請求項５５に記載の装置。
【請求項５９】
移植可能な支持部材と、
移植可能な拘束部材と、
を具備する管腔内人工器官。
【請求項６０】
上記支持部材が、拡張可能な状態と拡張された状態とを有する、請求項５９に記載の管腔内人工器官。
【請求項６１】
上記支持部材は長手方向軸線を有し、上記拘束部材は上記支持部材が上記拡張可能な状態にある時に上記支持部材をほぼ包囲するようになっている、請求項６０に記載の管腔内人工器官。